(57)【要約】  本発明は、好ましくは布製キャリアおよび乾燥したポリマー分散物の形態でキャリアの少なくとも片面に適用された感圧接着剤からなるケーブルラッピング用の接着テープであって、前記ポリマーは以下から合成される接着テープに関する。（ａ）９５．０〜１００．０質量％のアクリル酸ｎ−ブチルおよび／またはアクリル酸２−エチルヘキシル（ｂ）０．０〜５．０質量％の酸または酸無水物官能基を有するエチレン性不飽和モノマー。
2019515981.tif 000002
【特許請求の範囲】
【請求項１】
好ましくは布製キャリアおよび乾燥したポリマー分散物の形態でキャリアの少なくとも片面に適用された感圧接着剤からなるケーブルラッピング用の接着テープであって、前記ポリマーは以下から合成される接着テープ：
（ａ）９５．０〜１００．０質量％のアクリル酸ｎ−ブチルおよび／またはアクリル酸２−エチルヘキシル
（ｂ）０．０〜５．０質量％の酸または酸無水物官能基を有するエチレン性不飽和モノマー。
【請求項２】
前記ポリマーが以下から合成される：
（ａ）９５．０〜９９．５質量％のアクリル酸ｎ−ブチルおよび／またはアクリル酸２−エチルヘキシル
（ｂ）０．５〜５．０質量％の酸または酸無水物官能基を有するエチレン性不飽和モノマー、ことを特徴とする請求項１に記載の接着テープ。
【請求項３】
前記ポリマーが以下から合成される：
（ａ）９８．０〜９９．０質量％のアクリル酸ｎ−ブチルおよび／またはアクリル酸２−エチルヘキシル
（ｂ）１．０〜２．０質量％の酸または酸無水物官能基を有するエチレン性不飽和モノマー、ことを特徴とする請求項１に記載の接着テープ。
【請求項４】
アクリル酸ｎ−ブチルがモノマー（ａ）を形成することを特徴とする請求項１〜３のいずれか一つに記載の接着テープ。
【請求項５】
アクリル酸、メタクリル酸、イタコン酸、マレイン酸、フマル酸および／または無水マレイン酸が、好ましくはアクリル酸またはメタクリル酸または両方の混合物が、モノマー（ｂ）を形成することを特徴とする請求項１〜４のいずれか一つに記載の接着テープ。
【請求項６】
前記ポリマーが以下から合成される：
（ａ）９５．０〜１００．０質量％、好ましくは９５．０〜９９．５質量％、より好ましくは９８．０〜９９．０質量％のアクリル酸ｎ−ブチル、
（ｂ）０．０〜５．０質量％、好ましくは０．５〜５．０質量％、より好ましくは１．０〜２．０質量％のアクリル酸、
ことを特徴とする請求項１〜５のいずれか一つに記載の接着テープ。
【請求項７】
前記接着剤に、１５質量部以下または５〜１５質量部の粘着付与剤（乾燥ポリマー分散液の質量に対して）、好ましくは５〜１２質量部、より好ましくは６〜１０質量部の粘着付与剤（乾燥したポリマー分散液の質量に基づいて）が添加されることを特徴とする請求項１〜６のいずれか一つに記載の接着テープ。
【請求項８】
前記感圧接着剤に粘着付与樹脂が全く添加されないことを特徴とする請求項１〜６のいずれか一つに記載の接着テープ。
【請求項９】
感圧接着剤のガラス転移温度（ＤＩＮ  ５３７６５に従ってＤＳＣ（示差走査熱量計）により１０Ｋ／分の加熱速度で測定）が＋１５℃未満であることを特徴とする請求項１〜８のいずれか一つに記載の接着テープ。
【請求項１０】
前記感圧接着剤は、ＡＳＴＭ  Ｄ３３３０（接着剤の単位面積当たりの質量１００ｇ／ｍ２、キャリアとしてのポリエステル織物上）で少なくとも２．０Ｎ／ｃｍの鋼への剥離接着力を有することを特徴とする請求項１〜９のいずれか一つに記載の接着テープ。
【請求項１１】
キャリアが、布製キャリア、好ましくは不織材料または織物、特に、ポリエステル織物であることを特徴とする請求項１〜１０のいずれか一つに記載の接着テープ。
【請求項１２】
キャリアが、織物、好ましくはポリエステル織物であり、より好ましくは、以下の構造を有する
・経糸（縦糸）の糸数が１０〜６０／ｃｍ
・緯糸（横糸）の糸数が１０〜４０／ｃｍ
・経糸は、４０〜４００ｄｔｅｘ、より好ましくは４４〜３３０ｄｔｅｘ、非常に好ましくは１６７ｄｔｅｘの糸質量を有する
・緯糸は、４０〜６６０ｄｔｅｘ、より好ましくは４４〜４００ｄｔｅｘ、非常に好ましくは１６７ｄｔｅｘの糸質量を有する、
ことを特徴とする請求項１〜１１のいずれか一つに記載の接着テープ。
【請求項１３】
布製キャリア、好ましくは不織布に、適用されるフィルム（不織布と接着剤との間のフィルム）が下側に設けられることを特徴とする請求項１〜１２のいずれか一つに記載の接着テープ。
【請求項１４】
前記接着テープを細長い物品の周囲を螺旋状に巻き、細長い物品をジャケット（被覆）するための、請求項１〜１３のいずれか一つに記載の接着テープの使用。
【請求項１５】
前記細長い物品が前記テープによって軸方向に包まれた、細長い物品をジャケット（被覆）するための、請求項１〜１４のいずれか一つに記載の接着テープの使用。
【請求項１６】
請求項１〜１５のいずれか一項に記載の接着テープで被覆された、特にケーブル束のような細長い物品。
【発明の詳細な説明】
【技術分野】
【０００１】
本発明は、自動車のケーブルハーネスなどの細長い物品を被覆するための接着テープ、および被覆のための方法に関する。
【０００２】
接着テープは、ケーブル束を製造するために長年産業界で使用されてきた。この用途において、接着テープは、電線の束により占められるスペースを包帯によって減らすために、設置前または設置状態で多数の電気リードを束ねる働きをし、さらに、保護機能を得る。
【０００３】
ケーブルジャケットのための接着テープの試験および分類は、例えばＬＶ  ３１２−１「Ｐｒｏｔｅｃｔｉｖｅ  ｓｙｓｔｅｍｓ  ｆｏｒ  ｗｉｒｅ  ｈａｒｎｅｓｓｅｓ  ｉｎ  ｍｏｔｏｒ  ｖｅｈｉｃｌｅｓ，  ａｄｈｅｓｉｖｅ  ｔａｐｅｓ；  Ｔｅｓｔ  Ｇｕｉｄｅｌｉｎｅ」（１０／２００９）、  Ｄａｉｍｌｅｒ、Ａｕｄｉ、ＢＭＷ、Ｖｏｌｋｓｗａｇｅｎの共同規格、Ｆｏｒｄ社のＥＳ−ＸＵ５Ｔ−１Ａ３０３−ａａ（改訂版０９／２００９）「Ｈａｒｎｅｓｓ  Ｔａｐｅ  Ｐｅｒｆｏｒｍａｎｃｅ  Ｓｐｅｃｉｆｉｃａｔｉｏｎ」により規定されている。以下において、これらの規格は、それぞれＬＶ３１２およびＦｏｒｄ仕様と略記されている。
【０００４】
接着テープの騒音抑制、耐磨耗性および温度安定性は、ＬＶ３１２に包括的に記載されているように、定義された試験構造および試験方法に基づいて決定される。
【０００５】
フィルムキャリアおよび繊維キャリアを有するケーブルラッピングテープが広く普及しており、一般に一方の面に様々な感圧接着剤がコーティングされている。
【０００６】
化学的相溶性、高い剥離接着性、様々な基材との適合性、接着テープに課される要件などの様々な要件と同様に、ケーブルが伸びること、渦巻き状のチューブ、および分岐により、平らでなく不均一な基材が接着テープによって確実に接着されることが自動車産業において保証される必要がある。他の要因としては、自動車のエンジンコンパートメント内、または車体内でのドアの開封時の連続的な曲げ応力を伴う製造、設置およびその後の使用中の曲げ応力および引張応力である。
【０００７】
接着テープの端部は理想的にはそれ自身の裏面に接着されているので、この基材に対して良好な瞬間剥離接着（粘着）がなければならず、それにより開始時に接着テープの傷が発生しない。フラッグ（立ち上り、旗、ｆｌａｇｇｉｎｇ）が発生しない製品を永続的に保証するためには、基材への固定および接着剤の内部強度の両方が、接着結合が張力（引っ張りおよび曲げ応力）の影響下であっても堅牢でなければならない。
【０００８】
ケーブル束のラッピングでは、ケーブルの周りにオーバーラップを完全にするために、接着テープは全く重ならないように結合され、その半径は一般に小さく、接着テープが非常に鋭く湾曲している。包まれた部分の端部では、テープは、通常、接着がそれ自身の裏面に結合する接着テープロールの慣例的な提示形態と同様に、重なりの程度が実質的に完全であるように、主としてそれ自身の裏面に主に包まれる。フラッグ（ｆｌａｇｇｉｎｇ）が発生した場合、静的な力は、例えば、キャリアの曲げ剛性および巻き付けテンションによって作用し、自動巻き戻しの開始と同様に、好ましくないことに、接着テープの開放端が起立してしまうことがある。したがって、耐フラッグ性は、この静的な力に抵抗する接着剤の能力である。
【０００９】
粘着するテープが本体の周りに巻かれている場合には、フラッグにより接着テープの一方の端部が粘着する傾向があることを意味する。原因は、接着剤による保持力、キャリアの剛性、およびケーブル束の直径の組み合わせである。
【００１０】
ワイヤーハーネス（ＷＨ）ケーブルラッピングテープのフラッグ抵抗の測定は、ＴＦＴ法（スレッシュホールドフラッグ時間）を介して行われる。顕著にフラッグのない織物製品の目標変数は、１０００分ＴＦＴを上回る、好ましくは２０００分ＴＦＴを超えるという限界値として定義される。
【００１１】
別の方法は、以下に説明するＳＷＡＴ方法である。
接着テープは、例えば、鋭いエッジでの摩耗によるリードの損傷を防ぐためである。したがって、特に使用されるキャリア材料は、適切な堅牢性を有する。したがって、接着テープは、ＬＶ３１２に従って、磨耗クラスＡ〜Ｅに分類される。
【００１２】
長時間にわたり高温と組み合わせた接着テープの効果の結果として、ケーブル絶縁物が脆くならないようにしなければならない。クラス分けがここでなされ、とりわけ、ＬＶ３１２に従い、Ｔ１〜Ｔ４の４つの温度クラスに区別され、８０°Ｃ（温度クラスＡとも示される）、１０５°Ｃ（温度クラスＢとも示される）、１２５°Ｃ（温度クラスＣとも示される）、１５０°Ｃ（温度クラスＤとも示される）であり、包まれたケーブルは脆化なしに３０００時間耐えることが要求される。温度クラスＴ３およびＴ４は、下部クラスＴ１およびＴ２よりも接着テープに高い要求を課すことは自明である。Ｔ１からＴ４への割当ては、ケーブル絶縁材料だけでなく、感圧接着剤およびキャリアのタイプによっても決定される。
【００１３】
天然ゴムをベースとする感圧接着剤を有するケーブルラッピングテープは、通常、良好な耐フラッグ性を示すが、貯蔵時間にわたって増大する巻き戻し力を有し、特に温度が上昇する場合には増加する。さらに、ケーブルの適合性に対しては低温クラスしか満たさない。
【００１４】
類似の挙動は、ＳＢＳ／ＳＩＳのような合成ゴム（スチレンブロックコポリマー）をベースとする接着テープによっても示される。水素化生成物においてさえ温度クラスには限界がある。
【００１５】
さらに、ＵＶ架橋性ポリアクリル酸エステルをベースとする感圧接着剤を有するケーブルラッピングテープがある。これらは高温クラスを満たすが、フラッグを示す傾向がある。
【００１６】
２つの特性が相互に排他的であるように見えるので、良好な技術的接着特性を保持しながら巻き戻しが容易な接着テープ（ケーブル包帯用）の実現は大きな課題であり、ケーブルラッピングテープを片面結合するための基本的な基準、すなわち、適応された巻き出し力（巻き戻し力）および十分に高い剥離接着力は互いに非常に反発しあう。良好な剥離接着値および関連する低いフラッグ能は、感圧接着剤の部分に良好な流動および固着挙動を必要とするが、これらの基準は、問題のない巻き戻し性能の障害となる傾向がある。
【発明の概要】
【発明が解決しようとする課題】
【００１７】
本発明の目的は、巻き戻しが容易であるにもかかわらずフラッグ耐性（耐折性）が良好であると同時に、記載された４つの温度クラスＴ１〜Ｔ４の全てに対してケーブル適合性を示す接着テープを提供することであり、自動車のケーブル束のような細長い製品の容易、安価かつ迅速なジャケット化を可能にする接着テープを提供することである。
【課題を解決するための手段】
【００１８】
この目的は、請求項に記載された接着テープによって達成される。従属請求項は、接着テープの有利な展開および接着テープを使用する方法を提供する。
【００１９】
本発明は、好ましくは布製キャリアおよび乾燥したポリマー分散物の形態でキャリアの少なくとも片面に適用された感圧接着剤からなるラッピングケーブル用の接着テープに関し、前記ポリマーは以下から合成される：
（ａ）９５．０〜１００．０質量％のアクリル酸ｎ−ブチルおよび／またはアクリル酸２−エチルヘキシル
（ｂ）０．０〜５．０質量％の酸または酸無水物官能基を有するエチレン性不飽和モノマー。
【００２０】
ポリマーは、好ましくは９５．０〜９９．５質量％のアクリル酸ｎ−ブチルおよび／またはアクリル酸２−エチルヘキシルおよび０．５〜５質量％の酸または酸無水物官能基を有するエチレン性不飽和モノマーから成り、
より好ましくは、９８．０〜９９．０質量％のアクリル酸ｎ−ブチルおよび／またはアクリル酸２−エチルヘキシルおよび１．０〜２．０質量％の酸または酸無水物官能基を有するエチレン性不飽和モノマーから成る。
【００２１】
列挙されたアクリレートポリマーの他に、および、存在する残留モノマーの他に、感圧接着剤は、粘着付与剤および／または補助剤、例えば、光安定剤または老化防止剤を以下に示す量でさらに混合することができる。
【００２２】
特に、感圧接着剤中に存在するエラストマーのような更なるポリマーは存在せず、これは、感圧接着剤のポリマーが、モノマー（ａ）及び（ｂ）のみからなることを意味する。
【００２３】
モノマー（ａ）は、好ましくはｎ−ブチルアクリレート（アクリル酸ｎ−ブチル）によって形成される。
【００２４】
（ｂ）として考慮されるモノマーの例には、有利には、アクリル酸、メタクリル酸、イタコン酸、マレイン酸、フマル酸および／または無水マレイン酸が含まれる。
【００２５】
好ましいのは、式Ｉの（メタ）アクリル酸であり、
【化１】
2019515981.tif 000003
ここでＲ３は、ＨまたはＣＨ３であり；好ましくは、任意に、アクリル酸またはメタクリル酸の混合物を使用することが好ましい。アクリル酸が特に好ましい。
【００２６】
１つの特に好ましい変形形態によれば、ポリマーの組成は以下の通りである：
（ａ）９５．０〜１００．０質量％、好ましくは９５．０〜９９．５質量％、より好ましくは９８．０〜９９．０質量％のアクリル酸ｎ−ブチル、
（ｂ）０．０〜５．０質量％、好ましくは０．５〜５．０質量％、より好ましくは１．０〜２．０質量％のアクリル酸。
【００２７】
ポリマー分散液は、記載された成分の乳化重合のプロセスによって調製される。この方法の記載は、例えば、Ｐｅｔｅｒ  Ａ．  ＬｏｖｅｌｌおよびＭｏｈａｍｅｄ  Ｓ．  Ｅｌ−Ａａｓｓｅｒ−Ｗｉｌｅｙ−ＶＣＨ  １９９７−ＩＳＢＮ  ０−４７１−９６７４６−７の  ”Ｅｍｕｌｓｉｏｎ  Ｐｏｌｙｍｅｒｉｚａｔｉｏｎ  ａｎｄ  Ｅｍｕｌｓｉｏｎ  Ｐｏｌｙｍｅｒｓ（乳化重合および乳化重合体）”またはＥＰ  １  ３７８  ５２７  Ｂ１に記載されている。
【００２８】
重合の間に、全てのモノマーが反応してポリマーを形成するわけではないことを除外することはできない。ここで、残留モノマー含量は可能な限り小さくすべきことは明らかである。
【００２９】
１質量％以下、より特定的には０．５質量％以下（乾燥ポリマー分散液の質量に基づく）の残留モノマー含量を有するポリマー分散液を含む接着剤を提供することが好ましい。
【００３０】
接着剤は感圧接着剤（ＰＳＡ）であり、言い換えれば、比較的弱い加圧下でも事実上すべての基材に耐久性のある接着を可能にし、使用後に基材から実質的に残留物を取り除くことができる接着剤である。ＰＳＡは、室温で永続的な感圧接着効果を有し、言い換えれば、十分に低い粘度および高い粘着性を有し、したがって、問題の結合基材の表面は低い印加圧力でも濡れる。接着剤の接着性は、その接着特性およびその凝集特性からの再剥離性に由来する。
【００３１】
感圧接着特性を得るためには、接着剤は、粘弾性を有するために、処理温度でそのガラス転移温度より高くなければならない。ケーブル束ラッピングは通常の周囲温度（約１５℃〜２５℃の間）で行われるので、ＰＳＡ配合物のガラス転移温度は、好ましくは＋１５℃未満である（ＤＳＣ（示差走査熱量計、Ｄｉｆｆｅｒｅｎｔｉａｌ  Ｓｃａｎｎｉｎｇ  Ｃａｌｏｒｉｍｅｔｒｙ）による測定、ＤＩＮ５３７６５、加熱速度１０Ｋ／分）。
【００３２】
アクリレートコポリマーのガラス転移温度は、ホモポリマーのガラス転移温度およびそれらの相対的な割合から、Ｆｏｘの式に従って推定することができる。
【００３３】
所望のガラス転移温度を有する例えば感圧接着剤またはヒートシーリング化合物のようなポリマーを得るために、モノマー混合物の定量組成は、フォックス方程式（ＴＧ  Ｆｏｘ、Ｂｕｌｌ。Ａｍ。Ｐｈｙｓ。Ｓｏｃ。１９５６，１，１２３）と同様の式（Ｅ１）がポリマーの所望のＴｇが得られるように有利に選択される。
【数１】
2019515981.tif 000004
【００３４】
粘着付与剤の可能な添加は、添加量、相溶性および軟化温度に依存して、ガラス転移温度を約５〜４０Ｋ上昇させる。
【００３５】
したがって、０℃以下のガラス転移温度を有するアクリレートコポリマーが好ましい。
【００３６】
ＡＳＴＭ  Ｄ３３３０に従って、本発明のポリマーは、鋼に対して少なくとも１．０Ｎ／ｃｍの剥離接着力を有する（２３μｍのポリエステルフィルムキャリア上の接着剤被覆重量３０ｇ／ｍ２に対して）。
【００３７】
「粘着付与剤樹脂」は、当業者の一般的な理解によれば、粘着付与剤樹脂を含まないＰＳＡと比較してＰＳＡの自己粘着（粘着性、本来の接着性）を、高めるオリゴマーまたはポリマー樹脂を指すと理解される。
【００３８】
ＰＳＡの剥離接着値を高めるための粘着付与剤の使用は原則的に知られている。この効果は、接着剤が１５質量部未満（＜１５質量部に相当）、または５〜１５質量部の粘着付与剤（乾燥したポリマー分散液の質量基準）と混合される場合にも生じる。好ましくは５〜１２質量部、より好ましくは６〜１０質量部の粘着付与剤（乾燥ポリマー分散液の質量に基づいて）を添加することが好ましい。
【００３９】
粘着付与剤樹脂（ｔａｃｋｉｆｉｅｒ  ｒｅｓｉｎ）とも呼ばれる粘着付与剤としての適性は、基本的にはすべての既知のクラスの化合物によって保有されている。粘着付与剤は、例えば、炭化水素樹脂（例えば、不飽和Ｃ５またはＣ９モノマーをベースとするポリマー）、テルペンフェノール樹脂、a−またはβ−ピネンなどの原材料に基づくポリテルペン樹脂、芳香族樹脂、例えばクマロン樹脂、またはスチレンまたはα−メチルスチレンに基づく樹脂、例えば、ロジンおよびその誘導体、例えば、不均一な、二量体化またはエステル化されたロジン、例えば、グリコール、グリセロールまたはペンタエリスリトールとの反応生成物が挙げられるが少数である。好ましい樹脂は、容易に酸化可能な二重結合を有さないものであり、テルペンフェノール樹脂、芳香族樹脂および非常に好ましくは水素化により製造された樹脂、水素化ポリシクロペンタジエン樹脂、水素化ロジン誘導体または水素化ポリテルペン樹脂などである。
【００４０】
好ましい樹脂は、テルペンフェノールおよびロジンエステルをベースとするものである。同様に、ＡＳＴＭ  Ｅ２８−９９（２００９）に従う、８０℃を超える軟化点を有する粘着付与樹脂が好ましい。  ＡＳＴＭ  Ｅ２８  ９９（２００９）に従って軟化点が９０℃を超えるテルペンフェノールおよびロジンエステルをベースとする樹脂が特に好ましい。樹脂は、分散形態で有用に使用される。このようにして、それらはポリマー分散液と微細に分割された形態で容易に混合することができる。
【００４１】
粘着付与樹脂がＰＳＡに全く添加されていない本発明の変法が特に好ましい。
【００４２】
当業者にとっては、意外にも予想外なことに、本発明の接着テープからの粘着付与樹脂の不在は、当業者が予想するような不十分な剥離接着をもたらさない。驚くべきことに、さらに、フラッグ挙動も同様に貧弱ではない。
【００４３】
特に、ＰＳＡは以下の物質と混合しない：
・炭化水素樹脂（例えば、不飽和Ｃ５またはＣ９モノマーに基づくポリマー）
・テルペンフェノール樹脂
・a−またはβ−ピネンなどの原材料に基づくポリテルペン樹脂
・芳香族樹脂、例えば、クマロン−インデン樹脂またはスチレンまたはα−メチルスチレンに基づく樹脂、例えば、ロジンおよびその誘導体、例えば不均化、二量体化またはエステル化ロジン、例えばグリコール、グリセロールまたはペンタエリスリトールとの反応生成物。
【００４４】
ケーブルの適合性をさらに改善するために、接着剤配合物を光安定剤または１次および／または２次的老化防止剤と任意にブレンドしてもよい。
【００４５】
使用される老化防止剤は、立体障害フェノール、ホスファイト、チオ相乗剤、立体障害アミンまたはＵＶ吸収剤をベースとする製品であってもよい。
【００４６】
好ましくは、Ｉｒｇａｎｏｘ  １０１０またはＩｒｇａｎｏｘ  ２５４のような一次酸化防止剤を、単独でまたは例えばＩｒｇａｆｏｓ  ＴＮＰＰまたはＩｒｇａｆｏｓ  １６８のような二次酸化防止剤と組み合わせて使用する。
【００４７】
ここでの老化防止剤は、任意の所望の組み合わせで使用することができ、例えば、Ｔｉｎｕｖｉｎ  ２１３のような光安定剤と組み合わせて、一次酸化防止剤と二次次酸化防止剤との混合物によって特に良好な老化防止を示す。
【００４８】
一次酸化防止剤が一分子中に二次酸化防止剤と結合している老化防止剤は、特に有利であることが判明している。これらの老化防止剤は、クレゾール誘導体を含み、その芳香族環が２つの任意の異なる位置、好ましくはＯＨ基に対してオルト位およびメタ位においてチオアルキル鎖によって置換されており、硫黄原子が芳香族１つ以上のアルキル鎖を介してクレゾール構造ブロックの環を形成する。芳香族部分と硫黄原子との間の炭素原子の数は、１〜１０、好ましくは１〜４であり得る。アルキル側鎖中の炭素原子の数は、１〜２５、好ましくは６〜１６であり得る。本発明において、特に好ましくは、４，６−ビス（ドデシルチオメチル）−ｏ−クレゾール、４，６−ビス（ウンデシルチオメチル）−ｏ−クレゾール、４，６−ビス（デシル−チオメチル）−ｏ−クレゾール、４，６−ビスビス（ノニルチオメチル）−ｏ−クレゾールまたは４，６−ビス（オクチルチオメチル）−ｏ−クレゾール型の化合物である。これらの種類の老化防止剤は、例えばＩｒｇａｎｏｘ  １７２６またはＩｒｇａｎｏｘ  １５２０の名称でＣｉｂａ  Ｇｅｉｇｙ社から入手可能である。
【００４９】
添加される老化防止剤または老化防止剤パッケージの量は、乾燥ポリマー分散液の質量に対して０．１〜１０質量部、好ましくは０．２〜５質量部の範囲内であるべきであり、乾燥したポリマー分散液の質量に基づいて、非常に好ましくは０．５〜３質量％の範囲内である。
【００５０】
接着剤分散液との特に単純な混和性のために分散液の形態の形態が好ましい。あるいは、液体老化防止剤を分散液中に直接配合することも可能であり、その場合には、分散工程における老化防止剤の均一な分布を可能にするために、またはその分散粒子への受け入れを可能にするために、組み込み工程の後に数時間の静置時間を設けるべきである。さらなる代替法は、分散液に老化防止剤の有機溶液を添加することである。
【００５１】
適切な濃度は、乾燥ポリマー分散液の質量を基準にして、０．１〜８質量部、好ましくは０．１〜５質量部の範囲にある。
【００５２】
加工特性を改良するために、接着剤配合物は、レオロジー添加剤（増粘剤）、消泡剤、脱気剤、湿潤剤または流動制御剤のような慣用の加工助剤とさらにブレンドされていてもよい。適切な濃度は、乾燥ポリマー分散液の質量を基準にして、０．１質量部〜５質量部の範囲である。
【００５３】
ここでは、有機及び無機レオロジー添加剤の間に基本的な区別がなされている。
【００５４】
有機増粘剤は、２つの本質的な作用様式に別けられ；（ｉ）水相の増粘、すなわち非会合性、および（ｉｉ）増粘剤分子と粒子との会合であり、一部分で安定剤（乳化剤）の取り込みがある。第１の（ｉ）化合物群の代表としては、水溶性ポリアクリル酸およびポリアクリル酸であり、これは塩基性媒体中で高い流体力学的体積の高分子電解質を形成する。当業者は、これらを短くＡＳＥ（アルカリ膨潤性エマルジョン）としても示す。それらは、高い静止せん断粘度および強いせん断減粘によって区別される。他のクラスの化合物としては、改質多糖、特にセルロースエーテルであり、例えば、カルボキシメチルセルロース、２−ヒドロキシエチルセルロース、カルボキシメチル−２−ヒドロキシエチルセルロース、メチルセルロース、２−ヒドロキシエチルメチルセルロース、２−ヒドロキシエチルエチルセルロース、２−ヒドロキシプロピルセルロース、２−ヒドロキシプロピルメチルセルロース、２−ヒドロキシブチルメチルセルロースなどである。さらに、このクラスの化合物には、デンプン誘導体および特定のポリエーテルなどの広範な多糖類が含まれない。
【００５５】
（ｉｉ）会合性増粘剤の活性基は、原則として、水溶性中間ブロックおよび疎水性末端ブロックを有するブロックコポリマーであり、末端ブロックは粒子と相互作用するか、またはそれら自身と相互作用し、したがって、粒子の組み込みにより三次元ネットワークが形成される。当業者に知られている典型的な例としては、ＨＡＳＥ（疎水性改質アルカリ膨潤性エマルション）、ＨＥＵＲ（疎水性変性エチレンオキシドウレタン）またはＨＭＨＥＣ（疎水性変性ヒドロキシエチルセルロース）である。ＨＡＳＥ増粘剤の場合、中間ブロックはＡＳＥであり、末端ブロックは通常ポリエチレンオキサイド架橋を介して結合された長鎖の疎水性アルキル鎖である。ＨＥＵＲの場合、水溶性中間ブロックはポリウレタンであり、ＨＭＨＥＣではそれは２−ヒドロキシエチルセルロースである。非イオン性のＨＥＵＲおよびＨＭＨＥＣは、特に、ｐＨに対してほとんど感受性ではない。
【００５６】
構造によって会合性増粘剤は、多かれ少なかれニュートン（剪断速度非依存）または擬塑性（剪断液化）流れ挙動を生成する。場合によっては、チキソトロープ特性も示し、これは、粘度がせん断力に依存するだけでなく、時間にも依存することを意味する。
【００５７】
無機増粘剤は、通常、天然または合成起源のフィロシリケートであり、例えば、ヘクトライトおよびスメクタイトである。水と接触すると、個々の層は互いに部分的になる。静置時には、プレートレットの表面および縁部で異なる電荷の結果として、それらは空間充填型のハウス・オブ・カード構造を形成し、その結果、高い安静時剪断粘度が得られる。せん断時にカードハウス構造が失われ、せん断粘度の著しい低下が観察される。電荷、濃度およびプレートレットの幾何学的寸法に依存して、構造の発達には時間がかかることがあり、この種の無機増粘剤ではチクソトロピーを得ることも可能である。
【００５８】
増粘剤は、ある場合には、接着剤分散液中に直接的に撹拌されてもよく、場合によっては予め水中に予め分散されているかまたは予め希釈されていてもよい。
【００５９】
増粘剤の供給者は、例えば、ＯＭＧ  Ｂｏｒｃｈｅｒｓ、Ｏｍｙａ、Ｂｙｋ  Ｃｈｅｍｉｅ、Ｄｏｗ  Ｃｈｅｍｉｃａｌ  Ｃｏｍｐａｎｙ、Ｅｖｏｎｉｋ、Ｒｏｃｋｗｏｏｄ、またはＭuｎｚｉｎｇＣｈｅｍｉｅである。
【００６０】
フィラー（補強または非補強）、例えば、二酸化ケイ素（球状、針状、小板状または不規則形状のもの、例えば、ヒュームドシリカ）、中実または中空ビーズの形態のガラス、マイクロバルーン、炭酸カルシウム、酸化亜鉛、二酸化チタン、アルミニウム酸化物または酸化アルミニウムの水酸化物などは、加工特性および技術的接着特性を微調整するのに有用であり得る。適切な濃度は、乾燥ポリマー分散液の質量を基準にして、０．１質量部〜２０質量部の範囲である。
【００６１】
１つの好ましい実施形態において、本発明の接着剤配合物は、ＡＳＴＭ  Ｄ３３３０に従って少なくとも２．０Ｎ／ｃｍの鋼への剥離接着力を有する（織布ポリエステルキャリア上の接着剤コーティング質量は約１００ｇ／ｍ２である）。
【００６２】
好適なキャリアは、原則的にすべてのキャリア物質、好ましくは布製キャリア、より好ましくは織物、より特にポリエステル織物を含む。
【００６３】
接着テープのキャリア材料としては、編物、スクリム、テープ、編組、タフテッド織布、フェルト、織物（平織、綾織および朱子織を含む）、編物（経糸を包含する）、不織ウェブであり、「不織ウェブ」という用語は、ＥＮ  ２９０９２（１９８８）に従った少なくともシート状の布製構造およびステッチボンドウェブおよび類似のシステムを含む。
【００６４】
同様に、積層された織物及び編み物のスペーサー繊維（織物）を使用することも可能である。
【００６５】
これらの種類のスペーサー繊維は、ＥＰ  ０  ０７１  ２１２  Ｂ１に開示されている。スペーサー繊維は、繊維またはフィラメントウェブのカバー層、下層および個々の保持繊維またはこれらの層の間のこのような繊維の束を含むマット様の層構造であり、これらの繊維は層構造の領域に分布し、収支層を貫通して編み込まれ、カバー層と下層とが互いに接合している。追加の必須ではないが、ＥＰ０  ０７１  ２１２  Ｂ１による保持繊維は、例えば、砂、砂利などの不活性鉱物の粒子を含む。
【００６６】
粒子層を貫通して編み込まれた保持された保持繊維は、カバー層と下層とを互いに一定の距離に保持し、カバー層および下層に接合される。
【００６７】
意図される不織布には、特に、強化された短繊維（ｓｔａｐｌｅ  ｆｉｂｅｒ）ウェブだけでなく、フィラメントウェブ、メルトブローンウェブおよびスパンボンドウェブも含まれ、これらは一般に追加の固定（ｃｏｎｓｏｌｉｄａｔｉｏｎ、固化、圧密化）を必要とする。ウェブのために知られている可能な固定方法には、機械的、熱的および化学的固定が含まれる。機械的固定では、繊維は、個々の繊維の交絡、繊維束の相互ループまたは追加の糸のステッチングによって純粋に機械的に一緒に保持される場合、熱的および化学的技術によって（バインダーと共に）接着剤を得ることができ、または（バインダーなしで）凝集性の繊維−繊維結合を得ることができる。適切な処方および適切な工程のレジメが与えられれば、これらの固定は専ら繊維節点に限定され、安定した三次元網状構造が形成され、それにもかかわらずウェブ中の比較的緩い開放構造を保持する。
【００６８】
特に有益であることが証明されたウェブは、特に別々の糸でオーバーステッチ（仕上げ縫い）することによって、またはインターループによって固定されたウェブである。
【００６９】
この種の固定ウェブは、例えば、以前のＭａｌｉｍｏ社のＫａｒｌ  Ｍａｙｅｒ社の  ”Ｍａｌｉｍｏ”タイプのステッチボンディング機で製造され、Ｔｅｃｈｔｅｘ  ＧｍｂＨを含む会社から入手することができる。Ｍａｌｉｆｌｅｅｃｅは、交差撚りウェブがウェブの繊維からのループの形成によって固定されることを特徴とする。
【００７０】
使用されるキャリアは、ＫｕｎｉｔまたはＭｕｌｔｉｋｎｉｔタイプのウェブであってもよい。Ｋｕｎｉｔウェブは、長手方向に配向された繊維ウェブの加工に由来し、一方の側にループを有し、他方の側にループ足またはパイル繊維折畳みを有するが、スレッドまたはプレハブシート状構造を有さないシート状構造を形成することを特徴とする。この種のウェブも、例えばＫａｒｌ  Ｍａｙｅｒ社の「Ｍａｌｉｍｏ」タイプのステッチボンディング機のように、比較的長い間生産されている。このウェブのさらなる特徴は、縦繊維ウェブとして、縦方向の高い引張力を吸収することができることである。Ｋｕｎｉｔウェブと比較したＭｕｌｔｉｋｎｉｔウェブの特徴は、両面ニードルパンチングによってウェブが上部と下部の両方に固定されていることである。  Ｍｕｌｔｉｋｎｉｔのために使用される出発生成物は、一般に、Ｋｕｎｉｔプロセスによって製造された１つまたは２つの片側にインターループされたパイル繊維不織布である。最終製品では、不織布の上部の両側は、閉じられた表面を形成するために中間ループ繊維によって成形され、ほぼ垂直に立つ繊維によって互いに接合される。さらなる可能性は、さらに必要とするシート状構造および／または散乱性媒体を導入することである。
【００７１】
最後に、中間体としてのステッチボンドウェブも、本発明のライナーおよび本発明の接着テープを形成するのに適している。ステッチボンドウェブは、互いに平行に延びる多数のステッチを有する不織材料から形成される。これらのステッチは、連続した織布のステッチングまたはステッチボンディングによってもたらされる。このタイプのウェブでは、Ｋａｒｌ  Ｍａｙｅｒ社の「Ｍａｌｉｍｏ」タイプのステッチボンディングマシンが知られている。
【００７２】
ニードルフェルトウェブも特に適している。ニードルフェルトウェブでは、繊維のタフト（ｔｕｆｔ）は、バルブ（返し）を備えた針によってシート状構造に作られる。ニードルの交互の導入および引き抜きによって、材料はニードルバー上に固定され、個々の繊維は相互に絡み合ってしっかりとしたシート状構造を形成する。ニードリングポイントの数および構成（針の形状、針入度、両面ニードリング）が、一般に軽量で、通気性があり、弾性である繊維構造の厚さおよび強度を決定する。
【００７３】
また特に有利なのは、第１工程で機械的に予備固定された短繊維ウェブまたは流体力学的に敷設された湿式レイドウェブであり、ウェブ繊維の２質量％〜５０質量％が可融性繊維であり、より具体的には５質量％〜４０質量％である。
【００７４】
この種のウェブは、繊維が濡れた状態に置かれているか、または例えば短繊維ウェブがニードリング、ステッチングまたはエアジェットおよび／またはウォータージェット処理によってウェブの繊維からループを形成することによって予備固定されていることを特徴とする。
【００７５】
第２のステップでは、ウェブの強度が可融性繊維の溶融または部分的な溶融によって再び増加して、熱固定が行われる。
【００７６】
本発明による不織布の利用のためには、機械的に予備結合されたまたは湿式抄造されたウェブの接着固定が特に重要であり、固定は、固体、液体、発泡体またはペースト状の形態で固体中のバインダーの添加によって行われることができる。非常に多様な理論的提示形態が可能である：例えば、細流のための粉末としての固体バインダーとして；シートとして、またはメッシュとして；または結合繊維の形態であってもよい。液体バインダーは、水または有機溶媒中の溶液として、または分散液として適用することができる。接着固定のために、バインダー分散物が主に選択される：フェノール樹脂またはメラミン樹脂分散物の形態の熱硬化性樹脂、天然または合成ゴムの分散剤としてのエラストマー、または通常の熱可塑性樹脂の分散液、例えば、アクリレート、酢酸ビニル、ポリウレタン、スチレン−ブタジエン系、ＰＶＣなど、およびそれらのコポリマーである。通常、分散液はアニオン的または非イオン的に安定化されるが、場合によってはカチオン分散も有利であり得る。
【００７７】
バインダーは、従来技術に従う方法で適用することができ、例えば、コーティングの標準的な研究である「Ｖｌｉｅｓｓｔｏｆｆｅ」（Ｇｅｏｒｇ  Ｔｈｉｅｍｅ  Ｖｅｒｌａｇ、Ｓｔｕｔｔｇａｒｔ、１９８２）または  ”Ｔｅｘｔｉｌｔｅｃｈｎｉｋ−Ｖｌｉｅｓｓｔｏｆｆｅｒｚｅｕｇｕｎｇ”（Ａｒｂｅｉｔｇｅｂｅｒｋｒｅｉｓ  Ｇｅｓａｍｔｔｅｘｔｉｌ、Ｅｓｃｈｂｏｒｎ、１９９６）のような不織布技術を参照することが可能である。
【００７８】
すでに十分な複合強度を有する機械的に予備固定されたウェブの場合、バインダーの片面スプレー塗布は、表面特性の特定の変化を生じさせるのに適している。
【００７９】
このような手順は、バインダーの使用を少なくするだけでなく、乾燥のためのエネルギー需要を大幅に低減する。絞りロールが必要とされず、分散液が不織布の上部領域に主に残るので、ウェブの望ましくない硬化および硬化を大幅に防止することができる。
【００８０】
ウェブキャリアの十分な接着剤の固化のために、繊維ウェブの質量に基づいて１％〜５０％、より詳細には３％〜２０％のオーダーのバインダーの添加が一般的に必要である。
【００８１】
バインダーは、ウェブの製造中、機械的予備固定の間に、できる限り早期に加えることができ、またはインラインまたはオフラインで実施することができる別個のプロセスステップ中にできる限り早期に加えることができる。バインダーを添加した後、バインダーが接着剤となり繊維と接着結合するバインダーの条件を一時的に発生させる必要があり、これは、例えば分散中の乾燥により、または熱により、圧力の面的または部分的な適用によって、さらなる変形により、達成され得る。バインダーは、バインダーの適切な選択、または赤外線、ＵＶ放射、超音波、高周波放射などの手段によって、既知の乾燥トンネル内で活性化されてもよい。後の最終用途では、バインダーがウェブ製造プロセスの終了後に粘着性を消失させることは必ずしも必要ではないが、それが賢明である。有利なことには、熱処理の結果、繊維助剤などの揮発成分が除去されてカブリ値（ｆｏｇｇｉｎｇ  ｖａｌｕｅｓ）が良好なウェブが得られ、低カブリ性の接着剤を用いると、良好なカブリ値を有する接着テープが得られ；したがって、ライナーも非常に低いかぶり値を有する。
【００８２】
カブリ（ｆｏｇｇｉｎｇ、ＤＩＮ  ７５２０１Ａ参照）は、好ましくない条件下で、低分子量の化合物が接着テープから脱ガスし、冷たい部分に凝縮することがある場合の効果を意味する。この結果として、例えば、フロントガラスを通る視界が悪影響を受けることがある。
【００８３】
接着固定のさらなる特別な形態は、部分的溶解または部分的膨潤によってバインダーを活性化することを含む。この場合、繊維自体または混合された特殊繊維がバインダーの機能を引き継ぐことも原理的に可能である。しかしながら、そのような溶媒は、環境の面で好ましいものではなく、および／またはポリマー繊維の大部分の取り扱いが問題であるため、この方法は多くの場合において採用されていない。
【００８４】
有利には、少なくとも領域において、キャリアは、片面または両面研磨された表面を有することができ、好ましくは、それぞれの場合に表面全体が研磨される。研磨された表面は、例えば、ＥＰ１４４８７４４Ａ１に詳細に説明されているように、チンツ化（ｃｈｉｎｔｚｅｄ）されてもよい。
【００８５】
さらに、キャリアは、ロールミルでのカレンダー加工によって圧縮されてもよい。２つのロールは、好ましくは反対方向に同じ周速で走行し、キャリアを圧縮して圧密化する。
ロールの周速に差がある場合には、キャリアをさらに研磨する。
【００８６】
キャリアは、好ましくは織物、より好ましくはポリエステル織物である。以下の構造を有する織物が特に好ましい：
・経糸（縦糸）の糸数は１０〜６０／ｃｍ
・緯糸（横糸）の糸数は１０〜４０／ｃｍ
・経糸は、４０〜４００ｄｔｅｘ、より好ましくは４４〜３３０ｄｔｅｘ、非常に好ましくは１６７ｄｔｅｘの糸質量を有する
・緯糸は、４０〜６６０ｄｔｅｘ、より好ましくは４４〜４００ｄｔｅｘ、非常に好ましくは１６７ｄｔｅｘの糸質量を有する。
【００８７】
本発明のさらに有利な実施形態によれば、経糸の糸数は４０〜５０／ｃｍ、好ましくは４４／ｃｍである。
【００８８】
本発明のさらに有利な実施形態によれば、緯糸の糸数は１８〜２２／ｃｍ、好ましくは２０／ｃｍである。
【００８９】
本発明のさらに有利な実施形態によれば、織布繊維は、ポリエステル織物である。さらなる可能性は、織物ポリアミド繊維、織物ビスコース繊維および／または記載された材料を含む織物混合繊維である。
【００９０】
さらに好ましくは、織物の厚さは、多くとも３００μｍ、より好ましくは１７０〜２３０μｍ、非常に好ましくは１９０〜２１０μｍである。
【００９１】
本発明の別の有利な実施形態によれば、キャリアは２００ｇ／ｍ２まで、好ましくは１００〜１５０ｇ／ｍ２の坪量を有する。
【００９２】
接着テープ用のキャリア材料のための出発材料は、特に、ポリエステル、ポリアミド、ポリイミド、アラミド、ポリオレフィン、ポリアクリロニトリルまたはガラスから製造された合成繊維とも呼ばれる合成繊維から製造された（人造の）繊維（短繊維または連続フィラメント）であり、セルロース系繊維（ビスコース、モーダル、リヨセル、キュープロ、アセテート、トリアセテート、セルロン）、植物タンパク質繊維、および／または、動物タンパク質繊維などの天然ポリマー製の（人造の）繊維、綿、サイザル、亜麻、絹、大麻、リネン、ココナツまたはウールから製造された天然繊維などである。しかしながら、本発明は、記載された材料に限定されるものではなく、本発明のステップを踏むことなく、キャリアを製造するために多数のさらなる繊維を使用することができることは当業者には明らかである。
【００９３】
同様に好適なのは、さらに、特定された繊維から製造された糸である。
【００９４】
織物またはスクリムの場合、個々の糸は、混合糸から製造され得、したがって、合成および天然成分を有し得る。しかしながら、一般に、経糸と緯糸はそれぞれ１種類で形成されている。
【００９５】
ここでの経糸および／または緯糸は、いずれの場合にも合成糸のみで構成されていてもよいし、天然原材料から作られた糸、すなわち単一種類の糸で構成されてもよい。
【００９６】
織物のヤーンまたは糸は、フィラメントの形態であってもよい。本発明の目的のために、フィラメントは、多くの文献においてマルチフィラメントと呼ばれることも多い、平行な個々の線状繊維／フィラメントの束を示す。この繊維束は、必要に応じて、捻りによる固有の強化を与えられてもよく、次いで、紡糸されたまたは折り畳まれたフィラメントと呼ばれる。あるいは、繊維束は、圧縮空気またはウォータージェットを使用して交絡することによって固有の強化を与えることができる。以下の文脈では、これらの実施形態の全てについて、一般的な方法で、用語「フィラメント」のみが使用される。
【００９７】
フィラメントは、テクスチャー加工または平滑化されていてもよく、ポイント強化または強化なしのいずれでもよい。
【００９８】
また、接着テープには、紙、ラミネート、フィルム（例えばＰＰ、ＰＥ、ＰＥＴ、ＰＡ、ＰＵ）、発泡体または発泡フィルムからなるキャリア材料が適している。
【００９９】
これらの非−織布のシート状材料は、特定の要件が本発明のそのような改変を必要とする場合に特に適切である。フィルムは、一般に、織物に比べて薄く、例えば、無孔層の結果として、油、ガソリン、不凍液などの化学薬品および流体を実際のケーブル領域に浸透させないようにすることができ、それらが構築される材料の適切な選択によって、要件に実質的に適合させることができる。例えば、ポリウレタンまたはポリオレフィンコポリマーでは、可撓性および弾性のジャケットを製造することができる。ポリエステルおよびポリアミドであれば、良好な耐摩耗性および温度安定性が達成される。
【０１００】
一方、発泡体または発泡フィルムは、例えばケーブルの長さが車両のダクト状またはトンネル状の領域に置かれている場合、より大きな空間充填および良好な防音性を有し、ジャケットの適切な厚さと防音性を備えたテープは、最初から破壊的な羽ばたき音や振動を防止することができる。
【０１０１】
布製キャリアと布製キャリアの少なくとも一面に適用されたポリマー層またはフィルムとの積層体が好ましい。さらに、フィルムおよび／またはポリマー層を織物支持体の上側および下側に適用することが可能である。
適用は、ラミネーションまたは押出によって行うことができる。
【０１０２】
好ましい変形例では、不織布ウェブにその下側にフィルムが設けられ、他方の面には感圧接着剤が設けられる。
【０１０３】
フィルムまたはポリマー材料に適した材料は、例えばＰＰ、ＰＥ、ポリエステル、ＰＡ、ＰＵまたはＰＶＣなどのフィルムを含む。フィルム自体は、例えばフィルムを形成するために共押出されるプライ（層）のように、複数の個々のプライから順に構成されてもよい。
【０１０４】
ポリオレフィンが好ましいが、エチレンと、例えばスチレン、酢酸ビニル、メチルメタクリレート、ブチルアクリレートまたはアクリル酸などの極性モノマーのコポリマーも含まれる。これは、ＨＤＰＥ、ＬＤＰＥ、ＭＤＰＥなどのホモポリマー、またはエチレンと、プロペン、ブテン、ヘキセンまたはオクテン（例えば、ＬＬＤＰＥ、ＶＬＤＰＥ）などのさらなるオレフィンとのコポリマーであってもよい。また、ポリプロピレン（例えば、ポリプロピレンホモポリマー、ランダムポリプロピレンコポリマーまたはポリプロピレンブロックコポリマー）が適している。
【０１０５】
当該フィルムの厚さは１２μｍ〜１００μｍが好ましく、より好ましくは２８μｍ〜５０μｍ、さらに好ましくは３５μｍである。
フィルムは着色されていてもよく、および／または透明であってもよい。
【０１０６】
接着テープは、最終的に、接着剤の１つまたは２つの層が使用前に裏打ち（ライニング）されているライナー材料を有することができる。適切なライナー材料はまた、上記で包括的に説明した材料の全てを含む。
【０１０７】
ポリマーフィルムまたは十分なサイズの長繊維紙のような非光沢材料を使用することが好ましい。
【０１０８】
前記接着テープが難燃性であることが必要である場合、この品質は、難燃剤をキャリアおよび／または接着剤に添加することによって達成することができる。これらの難燃剤は、必要に応じて三酸化アンチモンのような相乗剤と共に、有機リン化合物であってもよいが、接着テープからのハロゲンが存在しないことに関連して、赤リン、有機リン化合物、鉱物化合物または膨張性化合物、例えばアンモニウムポリホスフェートを、単独でまたは相乗剤と組み合わせて含むことが好ましい。
【０１０９】
接着テープの面積を基準とする接着剤被覆質量（コート質量）は、好ましくは４０〜１６０ｇ／ｍ２、より好ましくは６０〜１３０ｇ／ｍ２、さらに好ましくは８０〜１００ｇ／ｍ２である。
【０１１０】
本発明の文脈における「接着テープ」という一般的な表現は、二次元的に拡張されたシートまたはシートセクション、延長された長さおよび制限された幅を有するテープ、テープセクションなどのすべてのシート状構造、および最後にダイカットまたはラベルを含む。
【０１１１】
したがって、接着テープは、長手方向の範囲および緯度の範囲を有する。接着テープはまた、両方の範囲に垂直に伸びる厚さを有し、緯度範囲および長手範囲は、厚さの倍数だけ大きい。厚さは、長さおよび幅によって画定された接着テープの表面全体の範囲にわたって大部分同じであり、好ましくは全く同じである。
【０１１２】
接着テープは、特に、シートウェブの形態で存在する。シートウェブは、その長さが幅よりも数倍大きく、幅がほぼ全長にわたって正確に同一である物体である。
【０１１３】
接着テープは、ロール状に製造することができ、言い換えれば、アルキメデス螺旋の形で巻き上げることができる。
【０１１４】
アルキメデス螺旋に巻かれた接着テープの巻き戻し特性に好ましい影響を及ぼすために、接着テープの裏面のワニス（上塗り）の適用であってよい。この裏面の表面のワニスは、この目的のために、シリコーン化合物またはフルオロシリコーン化合物、さらにポリビニルステアリルカルバメート、ポリエチレンイミノジアリルカルバミドまたは有機フッ素化合物を接着物質として供給することができる。
【０１１５】
接着剤は、ストライプの形態で接着テープの長手方向に適用することができ、ストライプの幅は接着テープのキャリアの幅よりも小さい。
【０１１６】
特定の用途に応じて、キャリア材料上にコーティングされた接着剤の複数の平行なストライプが存在してもよい。
【０１１７】
キャリア上のストライプの位置は自由に選択可能であり、キャリアのエッジの１つに直接配置することが好ましい。
接着剤は、好ましくは、全領域にわたってキャリアに適用（塗布）される。
【０１１８】
キャリアの接着剤コーティング上に、接着テープの長手方向に延び、接着剤コーティングの２０％〜９０％をコーティングする少なくとも１つのストライプのコーティング（被覆）が設けられてもよい。
【０１１９】
ストライプは、好ましくは、接着剤コーティングの合計５０％〜８０％をカバー（被覆）する。カバーする範囲は、用途およびケーブル束の直径に応じて選択される。
【０１２０】
示したパーセンテージの数字は、キャリアの幅に対するカバー（被覆）のストライプの幅に関する。
【０１２１】
本発明の１つの好ましい実施形態によれば、接着剤コーティング上に存在する被覆のストライプが正確に１つ存在する。
【０１２２】
接着剤コーティング上のストライプの位置は自由に選択可能であり、好ましくはキャリアの長手方向縁部の１つに直接配置される。このようにして、接着テープの長手方向に延び、キャリアの他の長手方向縁部で仕上げられる接着剤ストライプが製造される。
【０１２３】
接着テープをケーブルハーネスのジャケットに使用する場合、接着テープをケーブルハーネスのまわりを螺旋状に通過させることにより、基板は接着剤と接触することなく、接着剤テープの包み込み（ラッピング）は、接着剤を接着テープ自体にのみ接着することによって完了できる。
【０１２４】
このように被覆されたケーブルハーネスは、接着剤によるケーブルの固定がないため、非常に高い柔軟性を有する。その結果、前記ケーブルハーネスの設置時の柔軟性が、特に狭い通路または急な曲げに対して、顕著に増加する。
【０１２５】
接着テープを基板上にある程度固定することが望ましい場合、接着テープの一部を接着テープ自体に接着することによって、また別の部品を基板に接着することによって被覆を達成することができる。
【０１２６】
別の有利な実施形態によれば、ストライプは接着剤コーティングの中央に適用され、それにより接着テープの長手方向にキャリアの長手方向縁部上に延びる２つの接着剤ストライプを生成する。
【０１２７】
ケーブルハーネスの周りでの螺旋状の動きにおける接着テープの安全で経済的な適用と、結果として得られる保護包装の滑りに対抗するために、それぞれが接着テープの長手方向の縁に存在する２つの接着ストライプが有利であり、通常は第２のストライプよりも狭いストライプが固定補助手段として機能し、第２のより広いストライプが固定手段として機能する。このようにして、接着テープは、ケーブル束が滑ることなく固定されるが、それにもかかわらず柔軟な設計であるように、ケーブルに接着される。
【０１２８】
さらに、被覆（カバー）が一つより大きいストライプが接着剤コーティングに適用される実施形態がある。１つのストライプのみが参照される場合、当業者は、概念的には、同時に接着剤コーティングを覆う２つ以上のストライプが存在する可能性を考慮してこれを読み取る。
【０１２９】
本発明の接着テープを製造するための手順は、連続して行われる１つ以上の操作でキャリアを分散液で直接被覆することに過ぎない。布製キャリアの場合、未処理の布は、直接または転写プロセスによって被覆（コーティング）することができる。あるいは、布は、下流の作業工程に、直接的に、またはＰＳＡとともに移送プロセスによって、供される前に、（溶液、分散、溶融および／または放射線硬化からの任意の所望のフィルム形成物質を使用して）コーティングで前処理することができる。
【０１３０】
ワイヤードクター、コーティングバー、ロール塗布、ノズルコーティング、ツインチャンバードクターブレード、複数のカスケードダイなど、使用される適用手段は通常のものである。
【０１３１】
概説された肯定的な特性に基づいて、接着テープは、絶縁処理およびワイヤまたはケーブルの包装（ラッピング）に顕著に使用することができる。
【０１３２】
さらに、細長い材料、例えば自動車のケーブル束のような細長い材料のジャケット（被覆）に適しており、接着テープは、細長い材料の周りをらせん状に通過するか、または細長い材料は、テープによって軸方向に包装（ラップ）される。
【０１３３】
最後に、本発明の概念はまた、本発明の接着テープで被覆された細長い材料を包含する。細長い材料は、好ましくはケーブル束である。
【０１３４】
接着テープの優れた適合性のために、それを被覆（カバー）することからなるジャケットに使用することができ、ここで、被膜する領域の少なくとも１つの縁領域において自己接着テープが存在し、被膜する領域と結合し、接着テープが被覆する領域の長手方向の縁部の１つの上に延在するようにされ、好ましくは被覆の幅と比較して狭い縁部領域に延在するようにされる。
【０１３５】
１つのこのような製品およびその最適化された実施形態は、ＥＰ１３１２０９７Ａ１に開示されている。ＥＰ１３００４５２Ａ２、ＤＥ１０２２９５２７Ａ１およびＷＯ２００６１０８８７１Ａ１は、本発明の接着テープが同様に非常に適している進行中の開発を示している。本発明の接着テープはまた、ＥＰ１３６７６０８Ａ２に開示されている種類の方法で使用することができる。
【０１３６】
最後に、ＥＰ１３１５７８１Ａ１およびＤＥ１０３９９９９４Ａ１は、本発明の接着テープで可能な種類の接着テープの実施形態を記載している。
【０１３７】
さらに好ましくは、ＰＶＣジャケット付きケーブルとポリオレフィンジャケット付きケーブルとの接着において、ケーブルおよび接着テープからなるアセンブリがＬＶ３１２に従って、１００℃以上の温度で３０００時間までの間保存された場合において、接着テープはこれらのシステムを破壊することはなく、さらに、ケーブルはマンドレルの周りに曲げられる。
【０１３８】
本発明の接着テープは、ケーブルの包装に非常に適しており、簡単な処理のために巻き戻しが容易であり、フラッグがほとんどまたは全く見られず、３０００時間を超える高温クラスＴ３およびＴ４においてもケーブル脆化を示さない。
【０１３９】
以下の本文の目的は、何らかの種類の制限をもたらすことを望むことなく、多数の図を用いて接着テープをより詳細に説明することである。
【図面の簡単な説明】
【０１４０】
【図１】図１は、横断面における接着テープを示す。
【図２】図２は、個々のケーブルの束から構成され、本発明の接着テープで被覆されたケーブルハーネスの詳細を示す。
【図３】図３は、接着テープの有利な用途を示す。
【図４】図４は、定規によるフラッグの測定を示す。
【０１４１】
図１に示すように、横方向の断面（横断面）には、布製キャリア１からなる接着テープがあり、その片側にアクリル分散液をベースとする自己接着性コーティング２の層が適用される。
【０１４２】
接着剤は、キャリアに２０％の程度まで吸収され、したがって、最適な固定を生じさせると同時に、キャリアの手による引裂き性を改善する。
【０１４３】
図２は、個々のケーブル７の束から構成され、本発明の接着テープ１１で覆われたケーブルハーネスの詳細を示す。接着テープは、ケーブルハーネスのまわりを螺旋状に通される。
【０１４４】
示されたケーブルハーネスの詳細は、接着テープの２つのターンＩとＩＩを有する。さらなるターンは左に伸びるが、ここには示されていない。
【０１４５】
ジャケット（被覆）加工のためのさらなる実施形態では、接着剤が供給された本発明の２つのテープ６０，７０は、図３に示されるような製品を製造する（好ましくは各場合５０％ずつ）重ね合わせたそれらの接着剤を用いて積層される。
【実施例】
【０１４６】
例
例の概要
本発明の接着テープは、以下の好ましい実施形態において、実施例によって説明されるが、本発明はいかなる制限をも受けるものではない。
加えて、不適当な接着テープを示す比較例が示されている。
【０１４７】
本発明を説明するために、例示的な接着テープを以下のスキームに従って製造した：
続いて、ＰＳＡ分散液を、ポリウレタン会合性増粘剤（Ｂｏｒｃｈｉｇｅｌ  ０６２５、ＯＭＧ  Ｂｏｒｃｈｅｒｓ）を、０．０１ｓ−１の剪断速度で約１０００Ｐａ＊ｓの粘度まで撹拌して組み込むことによって調整した（ＤＳＲ  ２００  Ｎレオメーター（Ｒｈｅｏｍｅｔｒｉｃ  Ｓｃｉｅｎｔｉｆｉｃ製）により回転モードｃｏｎｅ／ｐｌａｔｅ  ｇｅｏｍｅｔｒｙにより測定）。
【０１４８】
フィルム延伸装置を用いて、ポリエステル織物（線状繊維密度１６７ｄｔｅｘ、経糸の糸数４３  １／ｃｍ、緯糸の糸数２５  １／ｃｍ）を増粘された実施例のＰＳＡ分散液によりコーティングした、その際、８５℃の強制空気オーブン中で５分間乾燥させた後、９０ｇ／ｍ２の接着剤塗布量で適用した。
【０１４９】
評価基準
ケーブルのラッピング（被覆）のための適用適合性のための接着テープの基準は、
・４０℃で４週間保管した後の、ロールから巻き戻し力
・ＳＷＡＴテストによるフラッグ耐性
・脆化および変色に関するＬＶ３１２によるケーブル適合性。
【０１５０】
試験の手順
他に明示的に記載されていない限り、測定は２３±１℃および５０±５％の相対湿度の試験条件下で実施される。
【０１５１】
ＬＶ３１２への巻き戻し力の測定
ここで、３０ｍ／分の離陸速度で３〜９Ｎ／ｃｍの範囲内の値は、用途に適合していると考えられる。３〜６Ｎ／ｃｍの値は「２」でスコア付けされる。６〜９Ｎ／ｃｍの値は「１」のスコア付けされる。これらの範囲外の値はスコア０とされる。
【０１５２】
ＳＷＡＴ法による耐フラッグ性の測定
ＳＷＡＴ試験は、接着テープがケーブルの周りにらせん状に巻かれた後の接着テープのフラッグ挙動を調査するために利用される。
試験は標準的な条件（２３±１℃および５０±５％相対湿度）および４０℃で実施する。高温は輸送中のより困難な要求を仮定する。
【０１５３】
この試験では、幅１９ｍｍの接着テープを使用する。それは、ＥＴＦＥ（エチレン−テトラフルオロエチレン）で被覆されたケーブルの周りに手作業で巻き付けられ、追加の圧力なしで直径１ｍｍ、４倍（１４４０°）である。はさみは接着テープを切断するために使用される。
【０１５４】
接着テープの端部が押されない限り、平均５ｍｍの長さのフラッグ（立ち上り）が残っていると仮定する。
ケーブルの周りには合計７つのラップが作られている。
【０１５５】
標準状態で３日、１０日および３０日後に、定規によりフラッグを測定する。これを図４に示す。絶対フラグ値は、実際に測定されたフラッグ長から５ｍｍを引いて計算される。従って、図４では、フラッグ値は２３ｍｍ（２８ｍｍ−５ｍｍ）である。
【０１５６】
結果として報告されるフラッグ値は、７つのラップの平均フラグ値の結果である。４０℃での試験は、通常使用される乾燥キャビネットで同様に行われる。
【０１５７】
本発明の接着テープは、報告されているＳＷＡＴ法により、乾燥キャビネット内で４０℃で以下に評価される。
【０１５８】
ここで、フラッグの１０ｍｍ以下の値は、耐性の下限値と認識される。
平均値＜５は２のスコアとし、平均値５〜１０の１のスコアとし、平均値＞１０はスコア０とされる。
【０１５９】
ＬＶ  ３１２へのケーブル適合性の測定
脆弱化
直径２ｍｍのマンドレルの周りで曲げたときに１５０°Ｃで３０００時間後も脆化がない場合、ケーブルの適合性が存在するとみなされ、スコア「２」が与えられる。試料が脆化した場合、試料は「０」のスコアを受ける。
【０１６０】
変色
１５０°Ｃで３０００時間後において、変色がないか、またはわずかしか変色の発生がない場合は、ケーブルの適合性が高いとみなされ、２のスコアとされる。暗すぎない明らかに目に見える変色は、「１」のスコアとされる。黒または暗褐色の変色は、ケーブルに適合しないとみなされ、スコア「０」とされる。
【０１６１】
剥離接着力の測定
純粋な分散液の剥離接着性を測定するために、接着剤の被覆された試料を最初に調製した。この目的のために、分散液を厚さ２３μｍのＰＥＴフィルム（ポリエチレンテレフタレート）に適用（塗布）し、強制空気乾燥キャビネット内において１０５℃で５分間乾燥させた後、接着剤の質量は３０ｇ／ｍ２で、フィルム延伸装置を用いて延伸した。
カッターナイフを使用して、このシートから幅２０ｍｍおよび長さ２５ｃｍのストリップを切断した。
【０１６２】
樹脂による配合物の剥離接着性を測定するために、コーティングされたサンプルを上記のようにポリエステル織物上に引き出し、同様にカッターナイフを用いて幅２０ｍｍおよび長さ２５ｃｍのストリップに切断した。
鋼に対する剥離接着力は、ＡＳＴＭ  Ｄ３３３０に従って測定した。
【０１６３】
ガラス転移温度の測定
ガラス転移温度は、窒素雰囲気（２０ｍｌ／分のガス流速）下、穿孔された蓋を有する２５μｌのアルミニウムるつぼ中で、ドイツ、ＮｅｔｚｓｃｈのＤＳＣ  ２０４  Ｆ１  ”Ｐｈｏｎｉｘ”動的示差走査熱量計で測定した。最初の試料質量は８±１ｍｇであった。サンプルを１０Ｋ  ／分の加熱速度で−１４０℃〜２００℃で２回測定した。主題分析は第２の加熱曲線であった。
この方法は、ＤＩＮ  ５３７６５に基づいている。
【０１６４】
動的粘度測定
粘度測定は、Ｒｈｅｏｍｅｔｒｉｃ  ＳｃｉｅｎｔｉｆｉｃのＤＳＲ２００Ｎレオメーターを使用して室温で０．０１ｓ−１の剪断速度の回転モードで、５０ｍｍの直径を有するコーンプレートシステムを使用して実施する。
【０１６５】
例のポリマー分散液の組成
本発明の概念を説明するために、以下のコモノマー組成を有するポリマー分散液を試験した：
【０１６６】
【表１】
2019515981.tif 000005
【０１６７】
【表２】
2019515981.tif 000006
【０１６８】
実施例Ｂ１〜Ｂ４の試験結果を以下に示す。
【０１６９】
【表３】
2019515981.tif 000007
【０１７０】
すべての４つの試験基準は、ケーブルジャケット用の適用適合できる接着テープにとって不可欠である。例３は、本発明の概念に従う接着テープを示す。対照的に、比較例は不適当である。
【０１７１】
例３の特定の特徴は、粘着付与剤樹脂が使用されていないことである。
実施例１および２と比較して、本発明の接着テープは、モノマー組成が異なるという事実のために注目に値する。
【図１】
2019515981.tif 000008
【図２】
2019515981.tif 000009
【図３】
2019515981.tif 000010
【図４】
2019515981.tif 000011
【国際調査報告】
2019515981.tif 000012
2019515981.tif 000013
2019515981.tif 000014
2019515981.tif 000015
2019515981.tif 000016
2019515981.tif 000017